(57)【要約】【課題】基礎立ち上がり部と押さえコンクリートとの継目での隙間の形成を抑制でき、かつ、床下の防湿を図ることができる基礎構造及びその施工方法を提供する。【解決手段】断熱基礎構造１は、地盤３を包囲して立ち上がる基礎立ち上がり部１６と、地盤３を覆う防湿シート５と、防湿シート５を留め付ける留め付けテープ１０と、防湿シート５上に打設される押さえコンクリート７と、を備え、防湿シート５は、地盤３を覆うカバー部５ａと、カバー部５ａの端部に設けられて周囲の基礎立ち上がり部１６に沿って立ち上がる留め付け縁部５ｂと、を有し、留め付け縁部５ｂが留め付けテープ１０を介して基礎立ち上がり部１６に留め付けられており、留め付け縁部５ｂ及び留め付けテープ１０を覆うように押さえコンクリート７が打設されている。【選択図】図２
2015083759.tif 000002
【特許請求の範囲】
【請求項１】
地盤面を包囲して立ち上がる基礎立ち上がり部と、
前記地盤面を覆う防湿シートと、
前記防湿シートを留め付ける留め付け具と、
前記防湿シート上に打設される押さえコンクリートと、
を備え、
前記防湿シートは、前記地盤面を覆うカバー部と、該カバー部の端部に設けられて周囲の前記基礎立ち上がり部に沿って立ち上がる留め付け縁部と、を有し、
前記留め付け縁部が前記留め付け具を介して前記基礎立ち上がり部に留め付けられており、
前記留め付け縁部及び前記留め付け具を覆うように前記押さえコンクリートが打設されている、
基礎構造。
【請求項２】
前記留め付け具は、テープ部材であって、
前記防湿シートの前記留め付け縁部は、前記テープ部材により前記基礎立ち上がり部に点付けされている、
請求項１に記載の基礎構造。
【請求項３】
前記留め付け縁部は、前記基礎立ち上がり部側に向けて折り込まれた折り込み部を有しており、該折り込み部の頂部が前記基礎立ち上がり部に留め付けられている、
請求項１又は２に記載の基礎構造。
【請求項４】
前記防湿シートは、防蟻性を付与されている、
請求項１〜３の何れか一項に記載の基礎構造。
【請求項５】
地盤面を包囲して立ち上がる基礎立ち上がり部を施工する工程と、
前記地盤面を覆う防湿シートを敷設する工程と、
前記防湿シートを前記基礎立ち上がり部に留め付ける工程と、
前記防湿シート上に押さえコンクリートを打設する工程と、を備え、
前記防湿シートは、前記地盤面を覆うカバー部と、該カバー部の端部に設けられて周囲の前記基礎立ち上がり部に沿って立ち上がる留め付け縁部と、を有し、
前記防湿シートを前記基礎立ち上がり部に留め付ける前記工程では、留め付け具を介して前記留め付け縁部を前記基礎立ち上がり部に留め付け、
前記防湿シート上に前記押さえコンクリートを打設する前記工程では、前記留め付け縁部及び前記留め付け具を覆うように前記押さえコンクリートを打設する、
基礎構造の施工方法。
【発明の詳細な説明】
【技術分野】
【０００１】
本発明は、住宅等の建物の上部構造を支持する基礎構造に関する。
【背景技術】
【０００２】
従来、建物の基礎構造では、基礎の内側に形成される床下空間からの白アリの侵入が問題となっている。白アリの侵入を物理的に防止する防蟻構造として、例えば、特許文献１に記載の防蟻構造が知られている。この構造では、白アリの分泌物に耐性のある耐腐食性材料で構成されたシート材を、基礎の下面に敷くようにして地盤中に埋設している。また、白アリは乾燥に弱いため、床下空間の防湿を図ること等を目的として、押さえコンクリートの下に防湿シートを敷設している。
【先行技術文献】
【特許文献】
【０００３】
【特許文献１】特開２０００−３４７８８号公報
【発明の概要】
【発明が解決しようとする課題】
【０００４】
上記特許文献１に記載の構造では、地盤面を包囲して立上る基礎立ち上がり部に沿って、防湿シートの端縁部が立ち上がっている。該端縁部は、押さえコンクリートの上端面よりも上方まで延在している。かかる構造を実際に施工しようとすると、防湿シートを敷設し、その後押さえコンクリートを打設することになる。この際、押さえコンクリートの打設時の作業及び押さえコンクリートの収縮等によって防湿シートが端縁部から撚れてしまうという問題がある。そして、このような防湿シートの端縁部が撚れた状態のまま、硬化すると、基礎立ち上がり部と押さえコンクリートとの継目において隙間等が形成されてしまい、その隙間から床下空間に向けて湿気が入り込んでしまうおそれがある。
【０００５】
そこで、本発明は、上記課題を解決するためになされたものであり、基礎立ち上がり部と押さえコンクリートとの継目での隙間の形成を抑制でき、かつ、床下の防湿を図ることができる基礎構造及びその施工方法を提供することを課題とする。
【課題を解決するための手段】
【０００６】
上記課題を解決するため、本発明に係る基礎構造は、地盤面を包囲して立ち上がる基礎立ち上がり部と、地盤面を覆う防湿シートと、防湿シートを留め付ける留め付け具と、防湿シート上に打設される押さえコンクリートと、を備え、防湿シートは、地盤面を覆うカバー部と、カバー部の端部に設けられて周囲の基礎立ち上がり部に沿って立ち上がる留め付け縁部と、を有し、留め付け縁部が留め付け具を介して基礎立ち上がり部に留め付けられており、留め付け縁部及び留め付け具を覆うように押さえコンクリートが打設されていることを特徴とする。
【０００７】
また、本発明に係る基礎構造の施工方法は、地盤面を包囲して立ち上がる基礎立ち上がり部を施工する工程と、地盤面を覆う防湿シートを敷設する工程と、防湿シートを基礎立ち上がり部に留め付ける工程と、防湿シート上に押さえコンクリートを打設する工程と、を備え、防湿シートは、地盤面を覆うカバー部と、カバー部の端部に設けられて周囲の基礎立ち上がり部に沿って立ち上がる留め付け縁部と、を有し、防湿シートを基礎立ち上がり部に留め付ける工程では、留め付け具を介して留め付け縁部を基礎立ち上がり部に留め付け、防湿シート上に押さえコンクリートを打設する工程では、留め付け縁部及び留め付け具を覆うように押さえコンクリートを打設することを特徴とする。
【０００８】
本発明に係る基礎構造及びその施工方法では、防湿シートの留め付け縁部が留め付け具によって押さえコンクリートに固定されているので、防湿シートの留め付け縁部が撚れにくい。更に、留め付け縁部及び留め付け具を押さえコンクリートで覆うので、押さえコンクリートの上部は基礎立ち上がり部に直接接し、基礎立ち上がり部と押さえコンクリートとの継目における隙間の発生を抑制できる。また、防湿シートの留め付け縁部は基礎立ち上がり部に沿って立ち上がり、防湿シートのカバー部は地盤面を覆っている。このため、基礎立ち上がり部と押さえコンクリートとの継目から押さえコンクリートの下面全体に亘って防湿シートが存在するので、湿気の上昇を防ぐことができる。以上より、基礎立ち上がり部と押さえコンクリートとの継目での隙間の形成を抑制でき、かつ、床下の防湿を図ることができる。
【０００９】
また、留め付け具は、テープ部材であって、防湿シートの留め付け縁部は、テープ部材により基礎立ち上がり部に点付けされていてもよい。この場合、テープ部材の貼り付け位置の自由度が高いものとなっている。その結果、テープ部材を適宜に貼り付けることができ、押さえコンクリートの施工時において留め付け縁部が引張力を受けたとしても、過剰な撚れの発生を防止するのに有効である。
【００１０】
また、留め付け縁部は、基礎立ち上がり部側に向けて折り込まれた折り込み部を有しており、折り込み部の頂部が基礎立ち上がり部に留め付けられていてもよい。この構成では、押さえコンクリートの施工時に留め付け縁部が引張力を受けても、折り込み部が開くように作用することで、折り込み部の頂部が基礎立ち上がり部に留め付けられている状態を維持できる。その結果、基礎立ち上がり部と押さえコンクリートとの継目での隙間を少なくでき、防湿性をより高めることができる。
【００１１】
また、防湿シートは、防蟻性を付与されていてもよい。この場合、床下空間からの白アリの侵入を防ぐことができる。
【発明の効果】
【００１２】
本発明によれば、基礎立ち上がり部と押さえコンクリートとの継目での隙間の形成を抑制でき、かつ、床下の防湿を図ることができる。
【図面の簡単な説明】
【００１３】
【図１】本発明の実施形態に係る断熱基礎構造における基礎の構成を説明するための平面図である。
【図２】本実施形態に係る断熱基礎構造を示す斜視図である。
【図３】図１におけるＩＩＩ−ＩＩＩ線に沿った断面構成を説明するための図である。
【図４】図１におけるＩＶ−ＩＶ線に沿った断面構成を説明するための図である。
【図５】図１の防湿シートの周辺構造を説明するための斜視図である。
【図６】防湿シートの縁を示す模式図である。
【図７】本実施形態に係る断熱基礎の施工方法を説明するための図である。
【図８】本実施形態に係る断熱基礎の施工方法を説明するための図である。
【図９】本実施形態に係る断熱基礎の施工方法を説明するための図である。
【図１０】本実施形態に係る断熱基礎の施工方法を説明するための図である。
【図１１】本実施形態に係る断熱基礎の施工方法を説明するための図である。
【図１２】本実施形態に係る断熱基礎の施工方法を説明するための図である。
【図１３】本実施形態に係る断熱基礎の施工方法を説明するための図である。
【図１４】本実施形態に係る断熱基礎の施工方法を説明するための図である。
【図１５】本実施形態に係る断熱基礎の施工方法を説明するための図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
図１〜図４を参照して、本発明の第１実施形態に係る断熱基礎構造の構成を説明する。図１は、本実施形態に係る断熱基礎構造における基礎の構成を説明するための平面図である。図２は、本実施形態に係る断熱基礎構造を示す斜視図である。図３は、図１におけるＩＩＩ−ＩＩＩ線に沿った断面構成を説明するための図である。図４は、図１におけるＩＶ−ＩＶ線に沿った断面構成を説明するための図である。
【００１６】
建物は、図１〜図３に示されるように、建物本体２と、建物本体２の力を地面に伝える基礎（布基礎）１１と、を備えている。基礎１１は、コンクリート製の基礎であり、外周基礎１３と中通り基礎１７とを備えている。外周基礎１３は、建物（建物本体２）の外周に沿うように設けられている。中通り基礎（内側基礎）１７は、外周基礎１３の内側を区画するように設けられている。中通り基礎１７の端部は、外周基礎１３に接続されている。基礎１１は、その内部に鉄筋（不図示）が配置されている。
【００１７】
外周基礎１３の内側、すなわち基礎１１（外周基礎１３及び中通り基礎１７）で区画化された内側領域Ａ２には、埋戻し土などによる地盤３（地盤面）が形成されている。地盤３の上面には、防湿シート５が敷設されている。防湿シート５上には、押さえコンクリート７が打設されている。すなわち、防湿シート５は、押さえコンクリート７に覆われている。防湿シート５は、防蟻性を有している。
【００１８】
外周基礎１３は、フーチング部１４と立ち上がり部１５とを有し、中通り基礎１７は、フーチング部１８と立ち上がり部１９とを有している。フーチング部１４，１８は、地盤３内に埋設されている。立ち上がり部１５，１９は、対応するフーチング部１４，１８から立ち上がっている。すなわち、立ち上がり部１５，１９は、下端部がフーチング部１４，１８に接続されており、フーチング部１４，１８から上方に延びている。立ち上がり部１５，１９の上端面１５ａ，１９ａは、平面とされている。立ち上がり部１５は、互いに対向する内側面１５ｂと外側面１５ｃとを有している。立ち上がり部１９は、互いに対向する側面１９ｂを有している。
【００１９】
立ち上がり部１５，１９は、フーチング部１４，１８よりも幅狭であり、外周基礎１３及び中通り基礎１７の横断面形状は、逆Ｔ字状を呈している。フーチング部１４，１８が設置される部位には、割栗石又は捨てコンなどが予め敷設されている。立ち上がり部１９の高さは、立ち上がり部１５の高さと同じでもよく、また、立ち上がり部１５の高さより低くてもよい。
【００２０】
建物本体２は、床Ｆと外壁Ｗとを備えている。床Ｆは、図３及び図４に示されるように、基礎１１の上端レベル、すなわち、立ち上がり部１５，１９の上端面１５ａ，１９ａを含む水平面に沿って設置されている。床Ｆは、基礎１１の上に架設されたＡＬＣパネル（床パネル）、合板、及び木質系の床仕上げ材などによって構成されている。外壁Ｗは、床Ｆの外縁に沿って設置されている。外壁Ｗは、ＡＬＣパネルなどによって構成されている。
【００２１】
基礎１１の内側には、複数の断熱材２１，２３，２５が配置されている。基礎１１、断熱材２１、及び断熱材２３は、地盤３を包囲して立ち上がる基礎立ち上がり部１６を構成している。各断熱材２１，２３，２５は、板状（パネル状）であり、板状の樹脂発泡体を含んでいる。各断熱材２１，２３，２５は、平面視で矩形状を呈している。すなわち、各断熱材２１，２３，２５は、互いに対向する一対の小口部を２組、合計で４つの小口部を有している。樹脂発泡体としては、ウレタンフォーム、フェノールフォーム、ポリスチレンフォーム、又はポリエチレンフォームなどが挙げられる。各断熱材２１，２３，２５（樹脂発泡体）は、防蟻性を有している。防蟻性を有する断熱材２１，２３，２５は、その製造時に、防蟻剤を添加することにより得ることができる。本実施形態では、断熱材２３の厚みは、断熱材２１，２５の厚みよりも薄い。断熱材２１の厚みは、断熱材２５の厚みと同等である。
【００２２】
断熱材２１は、図３にも示されるように、外周基礎１３の立ち上がり部１５の内側面１５ｂに沿うように設けられている。すなわち、断熱材２１は、外周基礎１３に沿い且つ外周基礎１３の内側全周にわたって配置されている。断熱材２１は、外周基礎１３（立ち上がり部１５）と中通り基礎１７（立ち上がり部１９）とが交わる箇所において、立ち上がり部１９の側面１９ｂに対向している。本実施形態では、断熱材２１は、外周基礎１３（立ち上がり部１５）と中通り基礎１７（立ち上がり部１９）とが交わる箇所において、立ち上がり部１９の側面１９ｂに当接している。断熱材２１は、立ち上がり部１５の高さ方向での長さが立ち上がり部１５の高さ寸法よりも短い。
【００２３】
断熱材２１は、下方部分２１ｄが建物本体２内側の地盤３内に位置し且つ地盤３から立ち上がるように設けられている。断熱材２１は、地盤３の上方に打設される押さえコンクリート７と立ち上がり部１５との間に位置している。断熱材２１は、立ち上がり部１５の内側面１５ｂに接着されることにより、内側面１５ｂに設けられている。断熱材２１は、全面が内側面１５ｂに接着されている必要はなく、一部が接着されていればよい。
【００２４】
断熱材２１は、高さ調節部材（不図示）により、断熱材２１の上端面２１ａの高さ位置と立ち上がり部１５の上端面１５ａの高さ位置とが一致し且つ断熱材２１の下端面２１ｂとフーチング部１４とが離間している状態とされている。すなわち、断熱材２１の下端面２１ｂとフーチング部１４の上面とは対向しており、下端面２１ｂとフーチング部１４の上面との間には、隙間が形成されている。
【００２５】
外周基礎１３の立ち上がり部１５と断熱材２１とは部分的には密着できても、型枠の平面度や、型枠同士の隙間によるバリの影響を受け、微視的には僅かな隙間Ｓａが在る。断熱材２１には防蟻性が付与されているので、断熱材２１を介しての白アリの侵入は阻止できるが、立ち上がり部１５と断熱材２１との隙間Ｓａにも配慮しておくことが重要である。このため、立ち上がり部１５の上端面１５ａと断熱材２１の上端面２１ａとの間には、隙間Ｓａを塞ぐように防蟻性を付与した防蟻シートＴ１が貼着されている。断熱材２１を固定する際には、この防蟻シートＴ１によって位置決め等を行ってもよい。
【００２６】
断熱材２３は、図４にも示されるように、中通り基礎１７の端部から所定の長さ範囲にわたって立ち上がり部１９の側面１９ｂに沿い且つ断熱材２１に連続するように設けられている。すなわち、断熱材２３は、断熱材２１に対向し且つ外周基礎１３側から所定長さだけ中通り基礎１７に沿うように配置されている。断熱材２３は、立ち上がり部１９の両側面１９ｂに設けられている。断熱材２３は、立ち上がり部１９の高さ方向での長さが立ち上がり部１９の高さ寸法よりも短い。
【００２７】
断熱材２３は、下方部分２３ｆが建物本体２内側の地盤３内に位置し且つ地盤３から立ち上がるように設けられている。断熱材２３は、地盤３の上方に打設される押さえコンクリート７と立ち上がり部１９との間に位置している。断熱材２３は、立ち上がり部１９の側面１９ｂに接着されることにより、側面１９ｂに設けられている。断熱材２３も、全面が側面１９ｂに接着されている必要はなく、一部が接着されていればよい。
【００２８】
断熱材２３は、高さ調節部材（不図示）により、断熱材２３の上端面２３ａの高さ位置と立ち上がり部１９の上端面１９ａの高さ位置とが一致し且つ断熱材２３の下端面２３ｂとフーチング部１８とが離間している状態とされている。すなわち、断熱材２３の下端面２３ｂとフーチング部１８の上面とは対向しており、下端面２３ｂとフーチング部１８の上面との間には、隙間が形成されている。
【００２９】
中通り基礎１７の立ち上がり部１９と断熱材２３とは部分的には密着できても、型枠の平面度や、型枠同士の隙間によるバリの影響を受け、微視的には僅かな隙間Ｓｂが在る。断熱材２３には防蟻性が付与されているので、断熱材２３を介しての白アリの侵入は阻止できるが、立ち上がり部１９と断熱材２２との隙間Ｓｂにも配慮しておくことが重要である。このため、立ち上がり部１９の上端面１９ａと断熱材２３の上端面２３ａとの間に、隙間Ｓｂを塞ぐように防蟻性を付与した防蟻シートＴ２が貼着されている。断熱材２３を固定する際には、この防蟻シートＴ２によって位置決め等を行ってもよい。
【００３０】
断熱材２５は、押さえコンクリート７の下方に設けられており、断熱材２１，２３における地盤３から立ち上がるように延びる部分に対向している。具体的には、断熱材２５は、一つの小口部２５ａが断熱材２１に対向すると共に小口部２５ａに対向する小口部２５ｂが押さえコンクリート７の途中部分に位置するように設けられている。すなわち、外周基礎１３の内側の地盤３は、断熱材２５に覆われている領域と、断熱材２５に覆われていない領域（断熱材２５から露出する領域）と、を有している。したがって、押さえコンクリート７は、断熱材２５の上方に位置する領域と、断熱材２５から露出する地盤３の上方に位置する領域と、を有することとなる。断熱材２５の上面と断熱材２５から露出する領域とは、略面一とされている。本実施形態では、断熱材２５は、断熱材２１，２３における地盤３から立ち上がるように延びる部分に当接している。
【００３１】
外周基礎１３には、図１及び図２に示すように、立ち上がり部１５の上端部である上端面１５ａの一部に凹溝１５ｄが形成されている。凹溝１５ｄは外壁Ｗや床パネルによって上方を塞がれ、その結果、外周基礎１３の内側領域Ａ２と外側領域Ａ１とを連通する貫通孔である換気口Ｈが形成される。換気口Ｈには、立ち上がり部１５の外側領域Ａ１から換気装置（不図示）が着脱可能に取り付けられている。なお、立ち上がり部１５の内側面１５ｂに設けられる断熱材２１にも、換気口Ｈを避けるために、換気口Ｈに対応した形状の凹溝（凹部）２１ｆが形成されている。防蟻シートＴ１は、換気口Ｈの内周面Ｈａにも貼着されている。つまり、立ち上がり部１５の凹溝１５ｄと断熱材２１側の凹溝２１ｆとの間の隙間Ｓａを塞ぐように、防蟻シートＴ１が貼着されている。なお、中通り基礎１７には、各区画を連通するように複数個所に凹溝１９ｃが形成されている。
【００３２】
次に、防湿シート５の構成について、図５及び図６を参照して、詳細に説明する。図５は、図１の防湿シートの周辺構造を説明するための斜視図である。図６は、防湿シート５の縁を示す模式図である。
【００３３】
防湿シート５は、図５に示すように、面一とされた断熱材２５と地盤３（断熱材２５から露出する領域）とを覆うように敷設されている。防湿シート５は、断熱材２５と地盤３（断熱材２５から露出する領域）とを覆うように位置するカバー部（第一シート領域）５ａと、周囲の基礎立ち上がり部１６（断熱材２１，２３）に沿って延びる留め付け縁部（第二シート領域）５ｂと、を有している。立ち上がり部１５，１９の高さ方向での留め付け縁部５ｂの長さは、押さえコンクリート７の厚みよりも短い。したがって、押さえコンクリート７は、その端部の一部分（上部）が、断熱材２１，２３に接することとなる。
【００３４】
防湿シート５の留め付け縁部５ｂは、留め付け具である留め付けテープ１０を介して、基礎１１及び断熱材２１，２３で構成される基礎立ち上がり部１６に留め付けられている。留め付けテープ１０は、たとえば気密テープである。留め付け縁部５ｂは、この留め付けテープ１０により、基礎立ち上がり部１６に所定間隔で点付けされている。留め付けテープ１０が点付けされる間隔は、留め付け縁部５ｂと基礎立ち上がり部１６との固定を保持できる範囲で自由に設定でき、たとえば等間隔であってもよい。
【００３５】
留め付け縁部５ｂは、図６に示すように、基礎立ち上がり部１６側に向けて折り込まれた折り込み部６を有している。折り返された部分が、断熱材２１，２３に当接するように、折り込み部６の頂部６ａが、留め付けテープ１０で留め付けられている。よって、折り込み部６の頂部６ａから下端部６ｂまでの間の垂れ下がった部分の少なくとも一部分が、断熱材２１，２３に当接されている。なお、ペグなどの固定具を用いることにより、断熱材２５又は地盤３と、カバー部５ａと、を固定してもよい。
【００３６】
押さえコンクリート７は、防湿シート５上に打設されている。すなわち、防湿シート５は、断熱材２５及び地盤３（断熱材２５から露出する領域）と、押さえコンクリート７と、の間に位置すると共に、押さえコンクリート７は、面一とされた断熱材２５と地盤３との上方に打設されることとなる。押さえコンクリート７は、留め付け縁部５ｂ及び留め付けテープ１０を覆うように打設されている。したがって、留め付けテープ１０が、押さえコンクリート７からはみ出すことがない。
【００３７】
次に、図７〜図１５を参照して、上述した構成を備える断熱基礎の施工方法について説明する。図７〜図１５は、本実施形態に係る断熱基礎の施工方法を説明するための図である。
【００３８】
まず、地盤３の所定範囲を掘った後、所定位置に基礎１１（外周基礎１３及び中通り基礎１７）を打設する（図７参照）。次に、断熱材２１を用意し、基礎１１に設置する（図８参照）。ここでは、幅寸法が立ち上がり部１５の高さ寸法よりも短く設定されている断熱材２１を用意する。そして、用意した断熱材２１を、立ち上がり部１５の内側面１５ｂに沿うように設ける。
【００３９】
その後、断熱材２１と立ち上がり部１５とにテープ４３を貼りわたし、断熱材２１を位置決めした状態で固定する。また、上端面２１ａと上端面１５ａとに亘って防蟻シートＴ１を貼着する。この防蟻シートＴ１によっても、断熱材２１の位置決めを行うことができる。断熱材２１の幅寸法が立ち上がり部１５の高さ寸法よりも短いため、上端面２１ａの高さ位置と上端面１５ａの高さ位置とが一致した状態では、断熱材２１の下端面２１ｂとフーチング部１４の上面とが離間することとなる。
【００４０】
次に、断熱材２３を用意し、基礎１１に設置する（図９参照）。ここでも、幅寸法が立ち上がり部１９の高さ寸法よりも短く設定されている断熱材２３を用意する。そして、用意した断熱材２３を、立ち上がり部１９の側面１９ｂに沿うように設ける。
【００４１】
その後、断熱材２３と立ち上がり部１９とにテープ４３を貼りわたし、断熱材２３を位置決めした状態で固定する。また、上端面２３ａと上端面１９ａとに亘って防蟻シートＴ２を貼着する。この防蟻シートＴ２によっても、断熱材２３の位置決めを行うことができる。断熱材２３の幅寸法が立ち上がり部１９の高さ寸法よりも短いため、上端面２３ａの高さ位置と上端面１９ａの高さ位置とが一致した状態では、断熱材２３の下端面２３ｂとフーチング部１４の上面とが離間することとなる。なお、防蟻シートＴ１，Ｔ２は、全ての断熱材２１，２３を固定した後に、まとめて貼着してもよい。
【００４２】
次に、地盤３における堀った部分を埋め戻す（図１０参照）。これにより、フーチング部１４，１８が、地盤３内に位置するように埋め戻される。断熱材２１，２３の下方部分２１ｄ，２３ｆも、断熱材２１，２３を立ち上がり部に圧接させた状態で、地盤３内に位置するように埋め戻されることとなる。
【００４３】
次に、断熱材２５を地盤３に敷設する。ここでは、まず、立ち上がり部１５，１９で包囲された地盤３に、砂利を撒設する。その後、撒設した砂利を転圧することにより、立ち上がり部１５，１９側が低位とされた段差を地盤３に形成する（図１１参照）。段差は、地盤３における立ち上がり部１５に沿った外側領域３ａと、当該外側領域３ａより高位とされた内側領域３ｂと、により形成されている。外側領域３ａと内側領域３ｂとは、平坦である。外側領域３ａと内側領域３ｂとを接続する中間領域３ｃは、内側領域３ｂから外側領域３ａに向けて下方に傾斜している。撒設される砂利４５は、粒度が揃っていることが好ましい。段差の高さは、断熱材２５の厚みと同等に設定される。撒設する砂利は、粒度が揃っていることが好ましい。
【００４４】
地盤３に段差を形成した後に、断熱材２５を、段差の低位とされた領域（外側領域３ａ）における砂利上に敷設する（図１２参照）。断熱材２５は、その一方の主面が外側領域３ａに当接し且つ断熱材２１，２３（地盤３から立ち上がるように延びる部分）に当接した状態で、敷設される。そして、気密テープ４４を、断熱材２３の小口部２３ｅと立ち上がり部１９の側面１９ｂとにわたって貼着する。
【００４５】
その後、断熱材２５の小口部２５ｂと中間領域３ｃとで画成される空間に砂利を撒設して、断熱材２５の上面（他方の主面）と、地盤３における断熱材２５から露出する領域（内側領域３ｂ）と、を面一とする（図１３参照）。以上のようにして、地盤３を包囲して立ち上がる基礎立ち上がり部１６を施工する。
【００４６】
次に、地盤３を覆う防湿シート５を敷設する。具体的には、防湿シート５を、面一とされた断熱材２５と地盤３（断熱材２５から露出する領域）とを覆うように敷設する（図１４参照）。防湿シート５は、断熱材２５及び地盤３上に直接敷設される。防湿シート５の固定は、上述したように、留め付けテープ１０及び固定具により行われる。このとき、防湿シート５の縁を、折り返した後、折り返した部分が断熱材２１，２３に当接するように、断熱材２１，２３に沿わせ、固定する。すなわち、防湿シート５は、断熱材２１，２３の一部を覆うこととなる。防湿シート５の留め付け縁部５ｂの長さは、押さえコンクリート７の厚みよりも短く設定されている。
【００４７】
次に、押さえコンクリート７を打設する（図１５参照）。押さえコンクリート７は、防湿シート５上に直接打設される。これにより、押さえコンクリート７は、面一とされた断熱材２５と地盤３との上方に打設されることとなる。このとき、押さえコンクリート７は、留め付け縁部５ｂ及び留め付けテープ１０を覆うように打設される。その結果、押さえコンクリート７は、その端部の一部分（上部）が断熱材２１，２３に当接している。押さえコンクリート７の打設の完了により、上述した構成を備える断熱基礎が完成する。
【００４８】
以上、本実施形態の断熱基礎構造１及びその施工方法によれば、防湿シート５の留め付け縁部５ｂが留め付けテープ１０によって押さえコンクリート７に固定されているので、防湿シート５の留め付け縁部５ｂが撚れにくい。更に、留め付け縁部５ｂ及び留め付けテープ１０を押さえコンクリート７で覆うので、押さえコンクリート７の上部は基礎立ち上がり部１６に直接接し、基礎立ち上がり部１６と押さえコンクリート７との継目における隙間の発生を抑制できる。また、防湿シート５の留め付け縁部５ｂは基礎立ち上がり部１６に沿って立ち上がり、防湿シート５のカバー部５ａは地盤３を覆っている。このため、基礎立ち上がり部１６と押さえコンクリート７との継目から押さえコンクリート７の下面全体に亘って防湿シート５が存在するので、湿気の上昇を防ぐことができる。以上より、基礎立ち上がり部１６と押さえコンクリート７との継目での隙間の形成を抑制でき、かつ、床下の防湿を図ることができる断熱基礎構造１を及びその施工方法を提供することができる。
【００４９】
また、留め付け具である留め付けテープ１０は、テープ部材であって、防湿シート５の留め付け縁部５ｂは、テープ部材により基礎立ち上がり部１６に点付けされている。よって、テープ部材の貼り付け位置の自由度が高いものとなっている。その結果、テープ部材を適宜に貼り付けることができ、押さえコンクリート７の施工時において留め付け縁部５ｂが引張力を受けたとしても、過剰な撚れの発生を防止するのに有効である。
【００５０】
また、留め付け縁部５ｂは、基礎立ち上がり部１６側に向けて折り込まれた折り込み部６を有しており、折り込み部６の頂部６ａが断熱材２１，２３に留め付けられている。この構成では、押さえコンクリート７の施工時に留め付け縁部５ｂが引張力を受けても、折り込み部６が開くように作用することで、折り込み部６の頂部６ａが基礎立ち上がり部１６に留め付けられている状態を維持できる。その結果、基礎立ち上がり部１６と押さえコンクリート７との継目での隙間を少なくでき、防湿性をより高めることができる。
【００５１】
また、防湿シート５は、防蟻性を付与されている。よって、床下空間からの白アリの侵入を防ぐことができる。
【符号の説明】
【００５２】
１…断熱基礎構造、３…地盤（地盤面）、５…防湿シート、５ａ…カバー部、５ｂ…留め付け縁部、６…折り込み部、７…押さえコンクリート、１６…基礎立ち上がり部、１０…留め付けテープ（留め付け具）。
【図１】
2015083759.tif 000003
【図２】
2015083759.tif 000004
【図３】
2015083759.tif 000005
【図４】
2015083759.tif 000006
【図５】
2015083759.tif 000007
【図６】
2015083759.tif 000008
【図７】
2015083759.tif 000009
【図８】
2015083759.tif 000010
【図９】
2015083759.tif 000011
【図１０】
2015083759.tif 000012
【図１１】
2015083759.tif 000013
【図１２】
2015083759.tif 000014
【図１３】
2015083759.tif 000015
【図１４】
2015083759.tif 000016
【図１５】
2015083759.tif 000017